(57)【要約】【課題】本発明の課題は、ステレオスピーカを搭載した携帯情報端末（無線通信端末）においても、通信不可能な状態に至る前にユーザにその旨を通知することができる無線通信端末、動作制御方法及び動作制御プログラムを提供することである。【解決手段】  低電圧動作モードへ移行されると、ドライバ２１に対しステレオスピーカ８、９の駆動を停止させ、電圧供給制御回路２４により電圧供給すべき回路部、ドライバの選択制御が行われる。このとき、ＬＥＤ１６２は微灯モードに切換えられ、ＬＥＤ１６１、１６３、着信報知用ＬＥＤ１０、サブ表示部５、ドライバ２１の駆動が停止する。さらに、無線処理部１２への電圧供給も停止されるため、ユーザは他の者との通信が不可能となるが、記憶部１４に格納されたデータの読出し／書き込み、表示が可能となる。【選択図】図６
2006295312.tif 000002
【特許請求の範囲】
【請求項１】
無線通信手段と、
この無線通信手段を動作させる電圧値よりも高い電圧値で駆動し、少なくとも前記無線通信手段により着信を検出した際に報知音を出力する出力手段と、
前記無線通信手段及び前記出力手段に電源を供給する電源供給手段と、
前記電源供給手段の電圧値が前記出力手段を駆動させる最低動作電圧を下回ったか否かを判定する判定手段と、
前記判定手段により、前記電源供給手段の電圧値が前記出力手段を駆動させる最低動作電圧を下回ったと判定された場合には、前記無線通信手段への電源の供給を停止する第１の停止手段とを備えることを特徴とする無線通信端末。
【請求項２】
前記判定手段により、前記電源供給手段の電圧値が前記出力手段を駆動させる最低動作電圧を下回ったと判定された場合、この判定結果を表示する表示手段を更に備えることを特徴とする請求項１に記載の無線通信端末。
【請求項３】
前記表示手段を照明する第１の照明手段と、
前記判定手段により、前記電源供給手段の電圧値が前記出力手段を駆動させる最低動作電圧を下回ったと判定された場合、前記第１の照明手段へ供給する電圧値を調整する調整手段と
を更に備えることを特徴とする請求項１又は２に記載の無線通信端末。
【請求項４】
キー入力手段と、
このキー入力手段を照明する第２の照明手段と、
前記判定手段により、前記電源供給手段の電圧値が前記出力手段を駆動させる最低動作電圧を下回ったと判定された場合、前記第２の照明手段への電源の供給を停止させる第２の停止手段と
を更に備えることを特徴とする請求項１乃至３の何れかに記載の無線通信端末。
【請求項５】
前記無線通信手段による着信を発光により報知する発光手段と、
前記判定手段により、前記電源供給手段の電圧値が前記出力手段を駆動させる最低動作電圧を下回ったと判定された場合、前記発光手段への電源の供給を停止させる第３の停止手段と
を更に備えることを特徴とする請求項１乃至４の何れかに記載の無線通信端末。
【請求項６】
撮像手段と、
前記判定手段により、前記電源供給手段の電圧値が前記出力手段を駆動させる最低動作電圧を下回ったと判定された場合、前記撮像手段への電圧の供給を停止させる第４の停止手段と
を更に備えることを特徴とする請求項１乃至５の何れかに記載の無線通信端末。
【請求項７】
前記出力手段はステレオスピーカであることを特徴とする請求項１乃至５の何れかに記載の無線通信端末。
【請求項８】
無線通信部と、この無線通信部を動作させる電圧値よりも高い電圧値で駆動し、少なくとも前記無線通信部により着信を検出した際に報知音を出力する出力部とを備える無線通信端末の動作制御方法であって、
前記無線通信部及び前記出力部に電源を供給する電源供給部の電圧値が前記出力部を駆動させる最低動作電圧を下回ったか否かを判定する判定ステップと、
前記判定ステップにて、前記電源供給部の電圧値が前記出力部を駆動させる最低動作電圧を下回ったと判定された場合には、前記無線通信部への電源の供給を停止する停止ステップと
からなることを特徴とする動作制御方法。
【請求項９】
無線通信部と、この無線通信部を動作させる電圧値よりも高い電圧値で駆動し、少なくとも前記無線通信部により着信を検出した際に報知音を出力する出力部とを備えるコンピュータが実行する動作制御プログラムであって、
前記無線通信部及び前記出力部に電源を供給する電源供給部の電圧値が前記出力部を駆動させる最低動作電圧を下回ったか否かを判定する判定ステップと、
前記判定ステップにて、前記電源供給部の電圧値が前記出力部を駆動させる最低動作電圧を下回ったと判定された場合には、前記無線通信部への電源の供給を停止する停止ステップと
を実行させることを特徴とする動作制御プログラム。
【発明の詳細な説明】
【技術分野】
【０００１】
本発明は、携帯電話機に代表される無線通信端末、動作制御方法及び動作制御プログラムに関する。
【背景技術】
【０００２】
近年、通信機能の他に、駆動時において比較的負荷がかかるデバイスを搭載する携帯電話機が普及している。一般的に従来の携帯電話機は、電池が消耗すると最も駆動電圧の大きい通話機能が最初に動作不可能となるが、このような状態に至った場合においても、メモリ機能を制御できる限界電圧に至るまで、電話番号やメールアドレス等のユーザデータを閲覧することが可能な携帯電話機が開示されている（例えば、特許文献１参照。）。
【特許文献１】特開平５−２５２０９２号公報
【発明の開示】
【発明が解決しようとする課題】
【０００３】
しかしながら、最近の携帯電話機の多くは、高音質の着信音を提供するために高負荷のステレオスピーカを搭載している。このステレオスピーカの最低駆動電圧が通信部の最低駆動電圧よりも大きいため、電源電圧が通信部の最低駆動電圧を下回った時にはこれを警告報知することができず、ユーザが気づかないうちに電源が落ちてしまうという問題があった。
【０００４】
そこで、本発明の課題は、ステレオスピーカを搭載した携帯情報端末（無線通信端末）においても、通信不可能な状態に至る前にユーザにその旨を通知することができる無線通信端末、動作制御方法及び動作制御プログラムを提供することである。
【課題を解決するための手段】
【０００５】
上記課題を解決するために、請求項１に記載の発明は、無線通信手段と、この無線通信手段を動作させる電圧値よりも高い電圧値で駆動し、少なくとも前記無線通信手段により着信を検出した際に報知音を出力する出力手段と、前記無線通信手段及び前記出力手段に電源を供給する電源供給手段と、前記電源供給手段の電圧値が前記出力手段を駆動させる最低動作電圧を下回ったか否かを判定する判定手段と、前記判定手段により、前記電源供給手段の電圧値が前記出力手段を駆動させる最低動作電圧を下回ったと判定された場合には、前記無線通信手段への電源の供給を停止する第１の停止手段とを備えることを特徴としている。
【０００６】
請求項２に記載の発明は、請求項１に記載の無線通信端末において、前記判定手段により、前記電源供給手段の電圧値が前記出力手段を駆動させる最低動作電圧を下回ったと判定された場合、この判定結果を表示する表示手段を更に備えることを特徴としている。
【０００７】
請求項３に記載の発明は、請求項１又は２に記載の無線通信端末において、前記表示手段を照明する第１の照明手段と、前記判定手段により、前記電源供給手段の電圧値が前記出力手段を駆動させる最低動作電圧を下回ったと判定された場合、前記第１の照明手段へ供給する電圧値を調整する調整手段とを更に備えることを特徴としている。
【０００８】
請求項４に記載の発明は、請求項１乃至３の何れかに記載の無線通信端末において、キー入力手段と、このキー入力手段を照明する第２の照明手段と、前記判定手段により、前記電源供給手段の電圧値が前記出力手段を駆動させる最低動作電圧を下回ったと判定された場合、前記第２の照明手段への電源の供給を停止させる第２の停止手段とを更に備えることを特徴としている。
【０００９】
請求項５に記載の発明は、請求項１乃至４の何れかに記載の無線通信端末において、前記無線通信手段による着信を発光により報知する発光手段と、前記判定手段により、前記電源供給手段の電圧値が前記出力手段を駆動させる最低動作電圧を下回ったと判定された場合、前記発光手段への電源の供給を停止させる第３の停止手段とを更に備えることを特徴としている。
【００１０】
請求項６に記載の発明は、請求項１乃至５の何れかに記載の無線通信端末において、撮像手段と、前記判定手段により、前記電源供給手段の電圧値が前記出力手段を駆動させる最低動作電圧を下回ったと判定された場合、前記撮像手段への電圧の供給を停止させる第４の停止手段とを更に備えることを特徴としている。
【００１１】
請求項７に記載の発明は、請求項１乃至６の何れかに記載の無線通信端末において、前記出力手段はステレオスピーカであることを特徴としている。
【００１２】
また、上記課題を解決するために、請求項８に記載の発明は、無線通信部と、この無線通信部を動作させる電圧値よりも高い電圧値で駆動し、少なくとも前記無線通信部により着信を検出した際に報知音を出力する出力部とを備える無線通信端末の動作制御方法であって、前記無線通信部及び前記出力部に電源を供給する電源供給部の電圧値が前記出力部を駆動させる最低動作電圧を下回ったか否かを判定する判定ステップと、前記判定ステップにて、前記電源供給部の電圧値が前記出力部を駆動させる最低動作電圧を下回ったと判定された場合には、前記無線通信部への電源の供給を停止する停止ステップとからなることを特徴としている。
【００１３】
また、上記課題を解決するために、請求項９に記載の発明は、無線通信部と、この無線通信部を動作させる電圧値よりも高い電圧値で駆動し、少なくとも前記無線通信部により着信を検出した際に報知音を出力する出力部とを備えるコンピュータが実行する動作制御プログラムであって、前記無線通信部及び前記出力部に電源を供給する電源供給部の電圧値が前記出力部を駆動させる最低動作電圧を下回ったか否かを判定する判定ステップと、前記判定ステップにて、前記電源供給部の電圧値が前記出力部を駆動させる最低動作電圧を下回ったと判定された場合には、前記無線通信部への電源の供給を停止する停止ステップとを実行させることを特徴としている。
【発明の効果】
【００１４】
本発明によれば、例えば低電圧動作モードの判定基準を、ステレオスピーカが報知音を鳴動可能な限界電圧に設定することにより、電圧残量が少ない旨を確実にユーザに通知でき、そのことにより、例えば、ユーザは必要最低限のデータの閲覧が可能となる。
【発明を実施するための最良の形態】
【００１５】
以下、図を参照して、本発明の実施形態について詳細に説明する。
【００１６】
まず、図１に、折畳み式携帯情報端末１００（以下、携帯電話機）の概略構成図を示し、（ａ）は平面図、（ｂ）は底面図である。携帯電話機１００は、通話用スピーカ１、メイン表示部２、キー入力部３、マイク４、サブ表示部５、カメラレンズ部６、充電池７、ステレオスピーカ８、９、着信報知用（兼撮影用ライト）ＬＥＤ１０等により構成される。尚、通話用スピーカ１、メイン表示部２、サブ表示部５、カメラレンズ部６、及び、着信報知用（兼撮影用ライト）ＬＥＤ１０は蓋部１０１に設けられ、キー入力部３、マイク４、充電池７、ステレオスピーカ８、９、及び、アンテナ１１（後述）は本体部１０２に設けられている。そして、蓋部１０１、本体部１０２はヒンジ１０３により折り畳み可能に構成されている。
【００１７】
通話用スピーカ１は、携帯電話機１００を介してユーザと通話する者の音声を出力する。ステレオスピーカ８、９は、着信があったことをメロディを出力してユーザに通知する他、メディアプレーヤとして使用した場合にはオーディオファイルを展開することによる楽音情報をステレオ出力する。着信報知用（兼撮影用ライト）ＬＥＤ１０は着信があったことを発光によりユーザに通知する他、カメラモードの際は被写体を照射する光源としても用いられる。メイン表示部２は、ＬＣＤ（Ｌｉｑｕｉｄ  Ｃｒｙｓｔａｌ  Ｄｉｓｐｌａｙ）等の表示画面を備え、すべての操作を行うための主要となる表示画面である。電話帳情報、メールの作成、受信した電話の受信先情報などが表示される。キー入力部３は、各種機能キーを備え、メールの送受信、メール作成、電話帳登録等を入力することにより各種指示を行う。マイク４は、ユーザにより音声が入力される。サブ表示部５はメイン表示部２と同様の構成であり、携帯電話機１００が閉じた状態である時、着信の通知、メール受信の通知、受信先情報等を表示する補助的な表示画面である。カメラレンズ部６は、携帯電話機１００をカメラモードに切り替え、画像を撮影する際に、画像をメイン表示部２又はサブ表示部５に映し出す。充電池７は、携帯電話機１００を動作させる電源である。
【００１８】
次に、図２を参照して、携帯電話機１００の主要部構成を示す。携帯電話機１００は、図１に示す各部の他に、アンテナ１１、無線処理部１２、制御部１３、記憶部１４、音声処理部１５、ドライバ制御部１６、ＬＥＤ１６１〜１６３、ドライバ１７、２１、ＣＣＤ１８、撮像処理部１９、音源ＲＯＭ２０、スピーカ２２、電圧監視部２３、電圧供給制御回路２４を有し、バスＢにより接続される。
【００１９】
無線処理部１２は、ユーザが通話する際に、マイク４を介して入力され、音声処理部１５にて所定の圧縮符号化形式に変換された音声情報を、無線通信方式にて定められた無線信号に変調してアンテナ１１を介して外部の基地局に送信する一方、アンテナ１１を介して基地局より受信された無線信号からデジタルデータへ復調し、音声通信ならばそのデジタルデータを音声処理部１５へ出力する。また、デジタルデータがパケットデータであれば、そのパケットデータより復元された各種データ（メールデータやダウンロードデータ）を制御部１３に渡す処理を行う。尚、無線処理部１２の最低駆動電圧は３．３Ｖになっている。
【００２０】
制御部１３は各部の動作を制御する。また設定テーブル１３１は、後述するが、通常動作から低電圧動作へ切換わった場合に制御される各部の動作内容が記憶されている。記憶部１４は電子手帳機能を有し、携帯電話１００に予め記憶されている電話番号を含むユーザプロファイルデータや、連絡先の電話番号データ、メールアドレスデータ等を記憶している。また、撮影された画像ファイルデータや送受信メールアイテムデータ、メロディファイルデータを格納する。そして、制御部１３からの制御信号によりこれらのデータをメイン表示部２やサブ表示部５を介して表示出力したり、音源ＲＯＭ２０へ出力する。
【００２１】
音声処理部１５は、マイク４を介して入力された音声信号を所定の圧縮符号化形式に変換してバスＢに出力する他、音声通信の際にバスＢより入力されたデジタルデータを復元処理して音声信号に変換し、通話用スピーカ１に出力する。
【００２２】
ＬＥＤ１６１〜１６３、及び、着信報知用（兼撮影用ライト）ＬＥＤ１０は印加される電圧値により駆動するドライバを夫々含み、ドライバ制御部１６により、印加電圧が制御される。また、ＬＥＤ１６１〜１６３は、メイン表示部２、サブ表示部５及びキー入力部３を照射する機能を有する。詳細には、キー入力部３は光透過部材で一部もしくは全てが構成され、ＬＥＤ１６１は当該携帯電話内部のキー入力部３の直下に複数個設けられている。また、ＬＥＤ１６２はメイン表示部２のバックライト光源として用いられ、ＬＥＤ１６３はサブ表示部５のバックライト光源として夫々用いられる。ドライバ制御部１６はＬＥＤ１６１〜１６３、及び、着信報知用（兼撮影用ライト）ＬＥＤ１０への印加電圧を制御するが、ＬＥＤ１６２のみ、その印加電圧値を通常の値より小さくすることにより微灯点灯させることができる。
【００２３】
メイン表示部２は、当該携帯電話機１００の状態（受信電波状態、音声着信状態、メール着信状態、各種アプリケーションの実行状態や現在時刻）を表示する他、後述する記憶部１４に記憶された各種データを表示する。サブ表示部５は主に折り畳まれた状態で各種データを表示する。ドライバ１７はバッファエリアを有し、メイン表示部２、サブ表示部５を駆動させる。
【００２４】
ＣＣＤ１８は撮像デバイスでありカメラレンズ部６の奥に備えられている。撮像処理部１９はＣＣＤ１８より出力された画像データをデジタルデータに変換したり、所定のファイル形式に変換して、記憶部１４に出力する機能を備えている。
【００２５】
音源ＲＯＭ２０は各種音源をデジタルデータとして記憶し、例えば、制御部１３からの制御により記憶部１４に格納されたメロディファイルデータが読み出されると、このデータが供給されてドライバ２１を駆動させる。
【００２６】
ドライバ２１はステレオスピーカ８、９、スピーカ２２を駆動させる回路部であり、メロディファイルデータの内容に基づいて楽音情報や着信報知音をステレオスピーカ８、９でステレオ再生させる。また、キー入力音や携帯電話機１００の各回路状態検知による報知音はスピーカ２２にてモノラル出力される。尚、ドライバ２１の最低駆動電圧はステレオスピーカ８、９を駆動させるケースとスピーカ２２を駆動させるケースとでは異なり、ステレオスピーカ８、９では３．４Ｖ、スピーカ２２ではそれ以下となっている。すなわち、ドライバ２１は供給される駆動電圧が３．４Ｖを下回るとスピーカ２２のみが所定時間、本実施例においてはレベル３検出から３０秒間、動作可能となる。
【００２７】
電圧監視部２３は充電池７が供給する電源電圧の状態を常に監視しており、監視結果として現在の供給電圧を所定の周期で制御部１３に出力する。充電池７は携帯電話１００全体に駆動電圧を供給する。電圧供給制御回路２４は、制御部１３により制御され、供給すべき回路部及びドライバを選択する。
【００２８】
次に、図３を参照して、携帯電話機１００の制御部１３による制御動作について説明する。尚、図３は制御部１３の設定テーブル１３１の設定内容を図示したものである。同図において、携帯電話機１００には供給される電源電圧についてレベルが４段階に分けて設定されている。レベル１は電源電圧値が４．２Ｖまでの状態であり、問題無く各回路部が通常動作可能な通常動作電圧である。レベル２は電源電圧値が３．４Ｖまでの状態であり、ステレオスピーカ８、９を駆動させるために必要な出力保障電圧（最低動作電圧）である。この出力保障電圧は、モードを切換える際に（後述）基準となる電圧値である。レベル１及び２は、携帯電話機１００の各回路部が通常に動作できるレベルであり、以下通常モードと称する。レベル３は電源電圧値が３．３Ｖまでの状態であり、無線処理部１２の最低駆動保障電圧である。レベル４は電源電圧値が３．０Ｖの状態であり、このレベルを下回ると携帯電話機１００が正常に動作しなくなるため、回路全体への電源供給を停止する。このため、レベル３及び４は、電圧供給制御回路２４はドライバ１７（メイン表示部２のみの駆動）、ドライバ制御部１６（ＬＥＤ１６２のみの微灯駆動制御）、ＬＥＤ１６２、スピーカ２２（レベル３検出から３０秒間のみ）、キー入力部３の感圧センサー（不図示）に電源電圧の供給するよう制御する。このため、低電圧動作モードにおいては、記憶部１４に記憶されるデータの読出しと書き込み、メイン表示部２へのデータ表示のみが可能になっている（以下、この動作状態を低電圧動作モードと称する）。
【００２９】
携帯電話機１００においては、電圧監視部２３からの入力により、レベル２、つまり、出力保障電圧である３．４Ｖを下回ったことが検出されると、強制的に通常モードから低電圧動作モードに移行する動作が行われる。すなわち、電圧監視部２３からの入力に基づいて制御部１３は設定テーブル１３１を参照し、充電池７の電源電圧値が出力保障電圧３．４Ｖを下回ったと判定されると、ドライバ制御部１６に対し、ＬＥＤ１６２への印加電圧を調整して微灯モードに切換えさせるとともに、ＬＥＤ１６１、ＬＥＤ１６３、着信報知用（兼撮影用ライト）ＬＥＤ１０の駆動を停止させる。またドライバ１７に対しメイン表示部２のみを駆動させるよう制御し、ドライバ２１に対しステレオスピーカ８、９の駆動を停止させる。更に、無線処理部１２も動作を停止させる他、ＣＣＤ１８、撮像処理部１９からなるカメラデバイスの動作も停止させる。
【００３０】
図４に、携帯電話機１００における電池電圧分布を示す。
【００３１】
図４において、実線３０は本発明の携帯電話機１００において、低電圧動作モードへ移行された場合の電源電圧の変化を示し、一点破線４０は本発明の携帯電話機１００において、低電圧動作モードが設定されていない場合を仮定した場合の電源電圧分布を示す。
【００３２】
図４からわかるように、低電圧動作モードが設定されていない場合は、出力保障電圧３．４Ｖを下回っても、消費電力は変わらず、Ｔ２時間経過後に携帯電話機１００全体への電圧供給が停止され電源がＯＦＦとなる。一方、低電圧動作モードへの移行が設定された場合、各部に対する制御動作が実行されるため、消費電力の低下を緩めることができる。従って、低電圧動作モードの設定がされていない場合よりも長いＴ３時間経過後に、携帯電話機１００全体への電圧供給が停止され電源がＯＦＦとなる。実線４０と一点破線３０を比較すると、低電圧動作モードへ移行される場合の方が終止電圧３．０Ｖを下回る時間は遅く、モード移行することによって、より長い時間、記憶部１４のデータ読出しと書き込み、及びデータのメイン表示部２への表示が可能である。
【００３３】
以上のように、報知音を鳴動させた後、低電圧動作モードへ移行されることにより、ユーザは充電池７の電源電圧が通常使用できる電圧値を下回り、低電圧動作モードに移行された旨を確認できる。また、低電圧動作モードは各部の動作制御を実行することにより実現される低電圧動作状態であるため、消費電力を抑え、外部との通信処理を行わないまでも、ユーザがデータの読出しや書き込み、表示を行うことが可能な携帯電話機１００を提供できる。
【００３４】
次に、図５のフローチャートを参照して、携帯電話機１００を低電圧動作モードへ移行する処理について説明する。
【００３５】
まず、低電圧動作モードのモード設定がＯＮに設定されているか否かが判定される（ステップＳ１）。ステップＳ１において、低電圧動作モードの設定がＯＦＦに設定されている、つまり、低電圧動作モードの設定がされていないと判定された場合（ステップＳ１；ＮＯ）、処理は何も行われず終了する。ステップＳ１において、低電圧動作モード設定がＯＮに設定されていると判定された場合（ステップＳ１；ＹＥＳ）、電源電圧がステレオスピーカ８、９の出力保障電圧以下であるか否かが判定される（ステップＳ２）。
【００３６】
ステップＳ２において、電源電圧が出力保障電圧以下でないと判定された場合（ステップＳ２；ＮＯ）、再度、ステップＳ２の判定が繰り返される。ステップＳ２において、電源電圧が出力保障電圧以下であると判定された場合（ステップＳ２；ＹＥＳ）、携帯電話機１００は低電圧動作モードへ移行され、判定処理が終了する。
【００３７】
次に、図６のフローチャートを参照して、携帯電話機１００が低電圧動作モードへ移行された場合に行われる処理について説明する。
【００３８】
低電圧動作モードへ移行されると、その旨をユーザに通知するために、ドライバ２１に対しステレオスピーカ８、９の駆動を停止させるとともに、スピーカ２２を３０秒間駆動させ、報知音を出力する（ステップＴ１）。ステップＴ１において、ユーザへ通知するための報知音が３０秒間出力されると、電圧供給制御回路２４により電圧供給すべき回路部、ドライバの選択制御が行われる（ステップＴ２）。このとき、ＬＥＤ１６２は微灯モードに切換えられ、ＬＥＤ１６１、１６３、着信報知用ＬＥＤ１０、サブ表示部５、ドライバ２１の駆動が停止する。さらに、無線処理部１２への電圧供給も停止されるため、ユーザは他の者との通信が不可能となるが、記憶部１４に格納されたデータの読出し／書き込み、表示が可能となる（図３参照）。
【００３９】
ステップＴ２において、電圧供給すべき回路部、ドライバの制御が行われると、携帯電話機１００の電源電圧が終止電圧に達したか否かが判定される（ステップＴ３）。ステップＴ３において、携帯電話機１００の電源電圧が終止電圧に達していないと判定された場合（ステップＴ３；ＮＯ）、ステップＴ３の判定が繰り返される。
【００４０】
ステップＴ３において、携帯電話機１００の電源電圧が終止電圧に達したと判定された場合（ステップＴ３；ＹＥＳ）、携帯電話機１００全体への電圧供給を停止するための電源ＯＦＦ処理が行われ（ステップＴ４）、携帯電話機１００の電池がＯＦＦとなる（ステップＴ５）。
【００４１】
次に、図７（ａ）、（ｂ）に、低電圧動作モードへ移行される場合に表示される表示画面の一例を示す。
【００４２】
まず、図７（ａ）に、低電圧動作モードへ切換える直前に表示される表示画面の一例を示す。
【００４３】
図６のステップＴ１において、低電圧動作モードへ移行する旨を通知する報知音がスピーカ２２より出力されると、その出力と共に携帯電話機１００の表示画面に図７（ａ）のような画面が表示される。このような画面が表示されてから３０秒経過後、携帯電話機１００は低電圧動作モードへ強制的に移行されると同時に、表示画面が図７（ｂ）のように変更される。例えば、報知音が出力されると共に、３０秒後に低電圧動作モードへ移行する旨が表示画面に表示されると、図７（ｂ）に示すように、３０秒後に表示画面に「ＥＭＥＲＧＥＮＣＹ」と表示される。この時、レベル表示２１５が低電圧動作モード表示２１６に変更される。さらに、画面がカラー表示である携帯電話機１００においては、低電圧動作モードへ移行されると同時に、カラー表示から白黒表示へ変更される。携帯電話機１００の表示画面に図７（ｂ）のような画面が表示されると、ユーザはデータの読出し／書き込み、表示が可能となる。
【００４４】
以上のように、携帯電話機１００の電源電圧が通常動作可能な電圧値を下回ったことにより低電圧動作モードへ移行されると、表示画面にその旨が表示されるため、ユーザは報知音だけでなく、視覚的にも分かりやすくその旨を確認することができる。また、最近では、カラー表示画面の携帯電話機１００が一般化されているが、カラー表示画面による消費電力は大きい。そのため、低電圧動作モードへ移行されると同時に、カラー表示を白黒表示に自動的に切換えることで、電力消費を低減でき、ユーザはできるだけ長時間においてデータの読出し／書き込み、表示が可能となる。
【００４５】
〔第１変形例〕
上述した処理は、低電圧動作モードへ強制的に移行される処理であるが、第１変形例として、低電圧動作モードへの移行を選択できる場合の処理について説明する。なお、携帯電話機１００の外観構成、主要部構成及びレベル設定値は上述した実施例と同様でるため、説明及び図示は省略する。変形例は、実施例において、図５のフローチャートで説明した処理の一部の変形であり、同じ処理は同じ符号を用いて説明する。
【００４６】
第１変形例のフローチャートを図８に示し、このフローチャートを参照して、携帯電話機１００を低電圧動作モードへ切換える処理について説明する。
【００４７】
まず、携帯電話機１００の電源電圧が出力保障電圧以下であるか否かが判定される（ステップＳ１０）。ステップＳ１０において、携帯電話機１００の電源電圧が出力保障電圧以下ではないと判定された場合（ステップＳ１０；ＮＯ）、再度、ステップＳ１０の判定が繰り返される。
【００４８】
ステップＳ１０において、携帯電話機１００の電源電圧が出力保障電圧以下であると判定された場合（ステップＳ１０；ＹＥＳ）、低電圧動作モードへ切換えるか否かが判定される（ステップＳ２０）。ステップＳ２０において、低電圧動作モードへ切り換えないと判定された場合（ステップＳ２０；ＮＯ）、低電圧動作モードへは移行されず、処理は終了する。ステップＳ２０において、低電圧動作モードへ切換えると判定された場合（ステップＳ２０；ＹＥＳ）、携帯電話機１００は低電圧動作モードへ移行される（ステップＳ３０）。
【００４９】
次に、図９に上述した処理が実行される際に、携帯電話機１００に表示される表示画面の一例を示す。
【００５０】
図８のステップＳ１０において、携帯電話機１００の電源電圧が出力保障電圧以下であると判定されると、その旨を通知する報知音がスピーカ２２より３０秒間出力されると共に携帯電話機１００の表示画面に図９（ａ）のような選択画面が表示される。図９（ａ）のような画面が表示されると、ユーザは、低電圧動作モードへ移行するか否かを選択することができる。ユーザの操作により、低電圧動作モードへ移行すると選択されると、表示画面が図９（ｂ）のように変更される。この時、低電圧動作モードへ強制的に移行される場合と同様に、レベル表示２１５が低電圧動作モード表示２１６へ変更される。低電圧動作モードへ移行されると、ユーザは、データの読出し／書き込み、表示が可能となる。
【００５１】
図９（ａ）の選択画面が表示され、ユーザにより低電圧動作モードへ移行しない旨が選択されると、携帯電話機１００全体への電力供給が停止される。
【００５２】
以上のように、低電圧動作モードへの移行を、強制的にではなく、選択可能にすることにより、ユーザの必要に応じて表示を切換えることが可能であり、ユーザは必要なデータを控えておくことができる。
【００５３】
〔第２変形例〕
次に第２変形例として、予めアラームが設定してあり、そのアラーム設定時刻に低電圧動作モードへ移行される場合の表示方法について説明する。なお、携帯電話機１００の外観構成及び主要部構成は上述した実施例と同様であるため、説明及び図示は省略する。
【００５４】
第２変形例に係る携帯電話機１００は、予めアラーム設定がされていれば、低電圧動作モードへ移行された際に、そのアラーム設定内容が表示画面に表示されるものである。現在の時刻とアラーム設定時刻が一致するか否かが常に判定されており、現在の時刻が低電圧動作モードへ移行する時刻となり、その時刻がアラーム設定時刻と一致した場合に、この動作が実行される。この動作が実行されると、ユーザはデータとして、アラーム設定内容の閲覧が可能となる。
【００５５】
図１０のフローチャートを参照し、第２変形例に係る携帯電話機１００において、予めアラーム設定がされている場合の処理について説明する。
【００５６】
まず、低電圧動作モード設定がＯＮに設定されているか否かが判定される（ステップＰ１）。ステップＰ１において、低電圧動作モード設定がされていると判定されると（ステップＰ１；ＹＥＳ）、携帯電話機１００の電源電圧が出力保障電圧以下であるか否かが判定される（ステップＰ２）。ステップＰ２において、携帯電話機１００の電源電圧が出力保障電圧以下ではないと判定された場合（ステップＰ２；ＮＯ）、再度、ステップＰ２の判定が繰り返される。
【００５７】
ステップＰ２において、携帯電話機１００の電源電圧が出力保障電圧以下であると判定された場合（ステップＰ２；ＹＥＳ）、現在時刻がアラーム設定時刻と一致するか否かが判定される（ステップＰ３）。ステップＰ３において、現在時刻がアラーム設定時刻と一致しないと判定されると（ステップＰ３；ＮＯ）、再度、ステップＰ３の判定が繰り返される。
【００５８】
ステップＰ３において、現在時刻がアラーム設定時刻と一致すると判定されると（ステップＰ３；ＹＥＳ）、低電圧動作モードが設定されているか否かが、再度判定される（ステップＰ４）。ステップＰ４において、低電圧動作モードが設定されていないと判定されると（ステップＰ４；ＮＯ）、通常モードの設定であるため、通常の動作と同様に、ステレオスピーカ８、９よりアラーム報知音が出力される（ステップＰ６）。ステップＰ４において、低電圧動作モードが設定されていると判定されると（ステップＰ４；ＹＥＳ）、アラーム報知音は出力されず、設定されているスケジュール内容がメイン表示部２に表示される（ステップＰ５）。
【００５９】
次に、図１１に上述した処理が実行される際に、携帯電話機１００に表示される表示画面の一例を示す。
【００６０】
図１１（ａ）に、低電圧動作モードへ切換える直前の表示画面の一例を示し、（ｂ）に、低電圧動作モードへ切換えた後の表示画面の一例を示す。
【００６１】
図１０のステップＰ４において、低電圧動作モードが設定されていると判定されると、携帯電話１００の表示画面に図１１（ａ）のような画面が表示される。このような画面が表示された後、表示された時間経過後、携帯電話１００は低電圧動作モードへ強制的に移行されると同時に、表示画面が図１１（ｂ）のように変更される。例えば、予め会議の打合せや、客先への連絡などの予定を登録したアラーム設定がされていると、その設定内容が表示画面に表示される。この時、レベル表示２１５は、実施形態及び第１変形例と同様に、低電圧動作モード表示２１６に変更される。さらに、画面がカラー表示である携帯電話機１００においては、低電圧動作モードへ移行されると同時に、カラー表示から白黒表示へ変更される。携帯電話機１００の表示画面に図１１（ｂ）のような画面が表示されると、ユーザはユーザデータの閲覧とアラーム設定内容の閲覧が可能となる。
【００６２】
以上のように、予めアラーム設定がされている携帯電話機１００において、電池残量が少なくなったことにより低電圧動作モードへ移行される際に、そのアラーム設定内容を表示させることにより、ユーザは電源がＯＦＦとなる前に、現時刻に設定されている予定を確認することが可能である。そのため、携帯電話機１００の電源がＯＦＦとなってしまったことにより、予定を確認できず、大事な打ち合わせや会議などを忘れてしまうという事態を避けることができる。さらに、データの読出し、表示が可能であるため、連絡する予定である客先の電話番号やメールアドレスなどの情報を、予め控えておくことができ、このような低電圧動作事態にも対応することが可能である。
【００６３】
なお、第２変形例に係る携帯電話機１００においては、低電圧動作モードへ強制的に移行するとしたが、低電圧動作モードへの移行を選択できるという、第１変形例に係る携帯電話機１００のような構成としてもよく、同様の効果を得ることが可能である。
【００６４】
また、実施例、第１変形例及び第２変形例に係る携帯電話機１００において、低電圧動作モードへ移行した時の表示は、低電圧動作モード表示１６に限られず、例えば、ピクトアイコンの表示や、専用の壁紙を表示させる等としてもよい。さらにまた、本実施例においては、低電圧動作モードへ移行された場合、ユーザは、データの読出し／書き込み、表示が可能となっていたが、より、動作を長くさせたい場合、電源電圧がレベル４になったときのみ、データの書き込みを禁止するようにしても良い。
【図面の簡単な説明】
【００６５】
【図１】折畳み式携帯電話機の開いた状態を示す図であり、（ａ）平面図、（ｂ）底面部である。
【図２】折畳み式携帯電話機の主要部構成を示す図である。
【図３】本実施形態の折畳み式携帯電話機において設定される、レベル及びそれに伴う制御動作を示す表である。
【図４】本実施形態の折畳み式携帯電話における、電池電圧分布を示す図である。
【図５】本実施形態の折畳み式携帯電話において、低電圧動作モードへ移行される時に実行される処理を示すフローチャートである。
【図６】本実施形態の折畳み式携帯電話機において、低電圧動作モードへ移行された後実行される処理を示すフローチャートである。
【図７】本実施形態の折畳み式携帯電話機において、強制的に低電圧動作モードへ移行される場合に表示される表示画面の一例を示す図である。
【図８】第１変形例に係る携帯電話機において実行される処理を示すフローチャートである。
【図９】第１変形例に係る携帯電話機において、低電圧動作モードへ移行される場合に表示される表示画面の一例を示す図である。
【図１０】第２変形例に係る携帯電話機において実行される処理を示すフローチャートである。
【図１１】第２変形例に係る径庭電話機において、低電圧動作モードへ移行される場合に表示される表示画面の一例を示す図である。
【符号の説明】
【００６６】
１  通信用スピーカ
２  メイン表示部（表示手段）
３  キー入力部（キー入力手段）
４  マイク
５  サブ表示部
６  カメラレンズ部
７  充電池（電源供給手段）
８、９  ステレオスピーカ（出力手段、出力部）
１０  着信報知用（兼撮影用ライト）ＬＥＤ（発光手段）
１１  アンテナ
１２  無線処理部（無線通信手段、無線通信部）
１３  制御部（判定手段、第１の停止手段、第２の停止手段、第３の停止手段、第４の停止手段）
１４  記憶部
１５  音声処理部
１６  ドライバ制御部（調整手段）
１７、２１  ドライバ
１８  ＣＣＤ（撮像手段）
１９  撮像処理部
２０  音源ＲＯＭ
２２  スピーカ
２３  電圧監視部
２４  電圧供給制御回路
１０１  蓋部
１０２  本体部
１３１  設定テーブル
１６１  ＬＥＤ（第２の照明手段）
１６２  ＬＥＤ（第１の照明手段）
１６３  ＬＥＤ
２１５  レベル表示
２１６  低電圧動作モード表示
【図１】
2006295312.tif 000003
【図２】
2006295312.tif 000004
【図３】
2006295312.tif 000005
【図４】
2006295312.tif 000006
【図５】
2006295312.tif 000007
【図６】
2006295312.tif 000008
【図７】
2006295312.tif 000009
【図８】
2006295312.tif 000010
【図９】
2006295312.tif 000011
【図１０】
2006295312.tif 000012
【図１１】
2006295312.tif 000013